(57)【要約】【課題】電源装置の組立作業性及び保守作業性を高めると共に、電源装置に関するこれらの作業コストを低減する。【解決手段】筐体１２の壁部１２Ａに形成された一つの取付穴１８に、インレット２０及びブレーカー２２がケーブル２４Ａにより相互間を結んだ状態で挿入される。取付穴１８周辺の壁部１２Ａに、一対の凹部２６がそれぞれ一段窪んだ形で形成され、一対の凹部２６に仕切板２８の両端部２８Ａがそれぞれ入り込んでいる。この仕切板２８の中央部分が筐体１２とインレット２０及びブレーカー２２との間に挟まれて、インレット２０とブレーカー２２との間を区画しつつ、この仕切板２８が固定される。一対の止めネジ３６の締結によりインレット２０が筐体１２の壁部１２Ａに固定される。【選択図】  図１
2004228512.tif 000002
【特許請求の範囲】
【請求項１】
少なくとも一つの取付穴が形成された筐体と、
この内の一つの取付穴にそれぞれ挿入されて筐体にそれぞれ取り付けられ且つ、ケーブルで相互に結ばれた状態の複数の電気部品と、
筐体と複数の電気部品との間に挟まれて固定され且つ、複数の電気部品間を区画する仕切材と、
を有することを特徴とする電気機器。
【請求項２】
複数の電気部品が、外部より作動電流を導入するインレット及び、この作動電流を切断可能とするブレーカーとされることを特徴とする請求項１記載の電気機器。
【請求項３】
仕切材が、板状に形成されて両端部を筐体の壁部に固定された仕切板とされることを特徴とする請求項１記載の電気機器。
【請求項４】
複数の電気部品の内の一つが筐体にねじ止めされて取り付けられることを特徴とする請求項１記載の電気機器。
【請求項５】
筐体の取付穴の周辺部分に凹部が形成され、この凹部に仕切材の両端部がそれぞれ入り込んで固定されることを特徴とする請求項１記載の電気機器。
【請求項６】
複数の電気部品の内の一つ及び仕切材にそれぞれ貫通穴が形成され、これらを止めネジで連続して貫通して、複数の電気部品の内の一つ及び仕切材が筐体にねじ止めされて取り付けられることを特徴とする請求項１記載の電気機器。
【発明の詳細な説明】
【０００１】
【発明の属する技術分野】
本発明は、組立作業性及び保守作業性を高くすると共にこれらの作業コストを低減可能な電気機器に係り、例えば電源装置等の電気機器に好適なものである。
【０００２】
【従来の技術】
電気機器の一種として外部の装置類に電力を供給する為の電源装置があり、このような電源装置として、電源装置の内部に設置された電子部品に作動用の電流を送り込む為に、外部より作動電流を導入するインレット及び、この作動電流を任意に切断可能とするブレーカーが、この電源装置の筐体に固定された構造になっているものが、知られている。
【０００３】
このような電源装置の製造時において、図９及び図１０に示すように、例えばこれら複数の電気部品であるインレット１１２及びブレーカー１１４を電源装置の筐体１１６の壁部１１６Ａに取り付ける際には、これら複数の電気部品の数に合わせて複数の取付穴１１８Ａ、１１８Ｂを桟部１２２を挟んで各々独立した形でこの壁部１１６Ａに形成し、これらインレット１１２及びブレーカー１１４をこれらの取付穴１１８Ａ、１１８Ｂにそれぞれ挿入して、筐体１１６に取り付けるようにしていた。
【０００４】
【特許文献１】
特開平１０−１５４４３０号公報
【０００５】
【発明が解決しようとする課題】
従って、インレット１１２及びブレーカー１１４のように相互に電気的に接続する必要があるものの場合には、インレット１１２及びブレーカー１１４を筐体１１６に取り付けた後にこれら電気部品間をケーブル１２０で接続することが考えられるが、ケーブル１２０を電源装置内で半田付け作業又はファストン端子等により接続しなければならず、組み立て上の制約が大きくなって、この場合には電源装置の組立作業性が低下する。
【０００６】
この一方、従来の構造では、ブレーカー１１４を筐体１１６に固定する為の固定用リブである爪部１２４がブレーカー１１４に設けられているので、筐体１１６に取り付けられたブレーカー１１４を保守作業の為に交換する場合には、この爪部１２４の係合が外れ難く、筐体１１６の一部を電源装置の本体部分から一旦取り外して内側から係合を解除する必要があり、保守作業性が悪い欠点があった。
【０００７】
本発明は上記事実を考慮し、組立作業性及び保守作業性を高め得ると共に、これらの作業コストを低減し得る電気機器を提供することを目的とする。
【０００８】
【課題を解決するための手段】
請求項１による電気機器は、少なくとも一つの取付穴が形成された筐体と、
この内の一つの取付穴にそれぞれ挿入されて筐体にそれぞれ取り付けられ且つ、ケーブルで相互に結ばれた状態の複数の電気部品と、
筐体と複数の電気部品との間に挟まれて固定され且つ、複数の電気部品間を区画する仕切材と、
を有することを特徴とする。
【０００９】
請求項１に係る電気機器の作用を以下に説明する。
外枠となる筐体に取付穴が形成され、ケーブルで相互に結ばれた状態の複数の電気部品が、この取付穴にそれぞれ挿入されている。さらに、複数の電気部品間を区画する仕切材が、筐体と複数の電気部品との間に挟まれて固定された状態で、これら複数の電気部品が筐体にそれぞれ取り付けられている。
【００１０】
つまり、筐体外においてケーブルで接続しておいた複数の電気部品を一つの取付穴に挿入することで、複数の電気部品が筐体にそれぞれ取り付けられることになる。この為、本請求項によれば、複数の電気部品が既にケーブルで接続された状態でも、ケーブルを傷をつけることなく、これら複数の電気部品を筐体内に簡易に挿入することができる。この結果として、例えばインレット及びブレーカー等の電気部品の筐体への取り付けが容易となって、電気機器の組立作業性が向上する。
【００１１】
また、一つの取付穴に複数の電気部品が挿入された状態となっているので、保守作業の際にはこれら複数の電気部品の内の何れかを取り外せば、仕切材と共に他の全ての電気部品をも取り外せるようになる。この為、最初に取り外す電気部品をねじ止め等して固定しておく形とすれば、筐体の外側より、これら電気部品を簡単に取り外す事が可能となり、電気機器の保守作業性が向上する。
【００１２】
以上より、本請求項によれば、電気機器の組立作業性及び保守作業性を高めることができると共に、電気機器に関するこれらの作業コストを低減できるようになる。
【００１３】
請求項２に係る電気機器の作用を以下に説明する。
本請求項は請求項１と同様の構成を有して同様に作用するが、さらに本請求項では、複数の電気部品が、外部より作動電流を導入するインレット及び、この作動電流を切断可能とするブレーカーとされるという構成となっている。
【００１４】
つまり、ケーブルで相互に結ばれた状態の複数の電気部品が、これらインレット及びブレーカーから成る二つの電気部品とすれば、種々の電気機器の作動電流の導入部分に請求項１の発明を適用可能ともなる。
【００１５】
請求項３に係る電気機器の作用を以下に説明する。
本請求項は請求項１と同様の構成を有して同様に作用するが、さらに本請求項では、仕切材が、板状に形成されて両端部を筐体の壁部に固定された仕切板とされるという構成となっている。
【００１６】
つまり、仕切材を簡易にプレス加工等によって加工可能な板状の仕切板とし、この仕切板の両端部を筐体の壁部に固定することで、複数の電気部品間をこの仕切板で確実に区画可能となり、これにより電気機器の製造コストが一層低減されることになる。
【００１７】
請求項４に係る電気機器の作用を以下に説明する。
本請求項は請求項１と同様の構成を有して同様に作用するが、さらに本請求項では、複数の電気部品の内の一つが筐体にねじ止めされて取り付けられるという構成となっている。
【００１８】
つまり、複数の電気部品の内の最後に筐体に固定される電気部品以外の電気部品が、筐体の壁部及び仕切材により筐体に係止される形とし、最後に固定される電気部品がねじ止めされて筐体に取り付けられる構造とすることで、保守作業の際に、筐体にねじ止めされている電気部品の締結を緩めるだけで、容易に全ての電気部品を取り外すことが可能となる。
【００１９】
請求項５に係る電気機器の作用を以下に説明する。
本請求項は請求項１と同様の構成を有して同様に作用するが、さらに本請求項では、筐体の取付穴の周辺部分に凹部が形成され、この凹部に仕切材の両端部がそれぞれ入り込んで固定されるという構成となっている。
【００２０】
つまり、取付穴の周辺部分の凹部に仕切材の両端部がそれぞれ入り込むので、壁部の面と仕切材の面とを同一とすることができる。この為、電気部品の外周側に突出したフランジ部を形成して、このフランジ部で取付穴の周囲の壁部に当接する構造とした場合、凹部に仕切材が入り込んで固定される結果として、電気部品が傾かずに安定且つ確実に筐体に取り付けられることになる。
【００２１】
請求項６に係る電気機器の作用を以下に説明する。
本請求項は請求項１と同様の構成を有して同様に作用するが、さらに本請求項では、複数の電気部品の内の一つ及び仕切材にそれぞれ貫通穴が形成され、これらを止めネジで連続して貫通して、複数の電気部品の内の一つ及び仕切材が筐体にねじ止めされて取り付けられるという構成となっている。
【００２２】
つまり、電気部品及び仕切材にそれぞれ貫通穴を設ければ、これらを止めネジで連続して貫通して、複数の電気部品及び仕切材を筐体にねじ止めすることが可能となる。この為、保守作業の際には、止めネジを緩めるだけで電気部品及び仕切材が一体的に筐体から外れ、より一層容易に全ての電気部品を取り外すことが可能となる。
【００２３】
【発明の実施の形態】
以下、図面を参照しつつ本発明に係る電気機器の各実施の形態を説明することにより、本発明を明らかにする。
図１及び図２に示すように、本発明の第１の実施の形態に係る電気機器である電源装置１０の直方体状に形成された外枠を金属製の筐体１２が、構成している。つまり、この電源装置１０の本体部分となる支持板１４には、電子部品が搭載された図示しない基板が設置されており、この支持板１４の上面が、金属製で箱状に形成された筐体１２で覆われる構造になっている。
【００２４】
この筐体１２の一部を構成する図１の手前側の壁部１２Ａには、筐体１２内を冷却する為のファンの設置用の大径穴１６が設けられており、この大径穴１６と隣り合った壁部１２Ａの部分には、略長方形にされた一つの取付穴１８が、この壁部１２Ａを貫通するように形成されている。
【００２５】
図４に示すように、この筐体１２の壁部１２Ａに形成された一つの取付穴１８には、外部より作動電流を導入するインレット２０及び、この作動電流を切断可能とするスイッチであるブレーカー２２が、ケーブル２４Ａにより相互間を結んだ状態で、それぞれ挿入されている。そして、このブレーカー２２には、筐体１２内の図示しない電子部品に繋がるケーブル２４Ｂの一端も接続されている。以上より、これらインレット２０及びブレーカー２２が複数である二つの電気部品を構成していることになり、例えば１００ボルトの交流電流がこのインレット２０より導入されるようになる。
【００２６】
一方、図３及び図４に示すように、これらインレット２０及びブレーカー２２には、それぞれ外周側に突出したフランジ部２０Ａ、２２Ａが形成されており、これらのフランジ部２０Ａ、２２Ａを取付穴１８の周囲の壁部１２Ａの部分に当接した形で、これらインレット２０及びブレーカー２２がそれぞれ筐体１２に取り付けられている。
【００２７】
図３に示すように、この取付穴１８の左右となる取付穴１８周辺の壁部１２Ａには、一対の凹部２６がそれぞれ一段窪んだ形で形成されており、これら一対の凹部２６に、図５に示す細長い板状に形成された仕切材である仕切板２８の両端部２８Ａがそれぞれ入り込んで、壁部１２Ａの面と仕切板２８の面とが同一となっている。尚、この仕切板２８の両端部２８Ａは、凹部２６の形状に合わせて若干膨らんだ形状となっている。そして、この仕切板２８の中央部分が筐体１２とインレット２０及びブレーカー２２との間に挟まれて、これらインレット２０とブレーカー２２との間を区画しつつ、この仕切板２８が固定されている。
【００２８】
さらに、図１、図２及び図４に示すように、ブレーカー２２の外側の上下部分には、片持ち状の係合用リブであって長手方向の中程が若干外側に突出した形の爪部２２Ｂが、それぞれ設けられており、これらの内の上側の爪部２２Ｂが、取付穴１８の上側の内壁面となる筐体１２の壁部１２Ａの部分に係合していて、下側の爪部２２Ｂが、仕切板２８の上側寄りの部分に係合している。これに伴って、図４に示すように、ブレーカー２２のフランジ部２２Ａの上側が、取付穴１８の上側の壁部１２Ａの部分に当接しており、ブレーカー２２のフランジ部２２Ａの下側が、この仕切板２８の上側寄りの部分に当接している。
【００２９】
他方、図１及び図２に示すように、このインレット２０のフランジ部２０Ａの左右部分には、それぞれ止めネジ用の貫通穴３２が形成されており、これら貫通穴３２に対向する壁部１２Ａの部分には、内部に雌ねじが形成されたねじ孔３４が設けられている。そして、一対の止めネジ３６が、インレット２０の貫通穴３２をそれぞれ貫通して壁部１２Ａのねじ孔３４に締結されている。つまり、一対の止めネジ３６の締結によって、インレット２０が筐体１２の壁部１２Ａに固定されることになり、これに伴って、インレット２０のフランジ部２０Ａの上側が、この仕切板２８の下側寄りの部分に当接しており、このフランジ部２０Ａの下側が、取付穴１８の下側の壁部１２Ａの部分に当接している。
【００３０】
以上より、壁部１２Ａにねじ止められたインレット２０のフランジ部２０Ａが仕切板２８を押さえつけて固定しており、この仕切板２８により仕切られて狭くなった取付穴１８内にブレーカー２２が配置された状態で、ブレーカー２２の爪部２２Ｂの係合によってこのブレーカー２２が取付穴１８内に固定されている。
【００３１】
次に、本実施の形態に係る電源装置１０の組み立てを説明する。
電源装置１０を組み立てる際には、本体部分である支持板１４に筐体１２の一部となる壁部１２Ａを取り付けるが、この壁部１２Ａに予め一つの取付穴１８を形成しておくことにする。また、これとは別にインレット２０及びブレーカー２２を製造し、インレット２０とブレーカー２２との間をケーブル２４Ａで相互に結んだ状態とする。
【００３２】
そして、図１及び図２に示すように、インレット２０とブレーカー２２との間に仕切板２８を配置した形で、ケーブル２４Ａが接続された側から、これらインレット２０及びブレーカー２２を取付穴１８に挿入する。この際、取付穴１８の周辺に設けられた一対の凹部２６に仕切板２８の両端部２８Ａがそれぞれ入り込むように、仕切板２８を配置すると共に、爪部２２Ｂを取付穴１８の上側の内壁面及び仕切板２８に係合して、ブレーカー２２を取付穴１８内に固定する。この結果として、インレット２０が入る取付穴１８の部分が、仕切板２８によって適正な大きさに区画されることになる。
【００３３】
この後、インレット２０のフランジ部２０Ａを一対の止めネジ３６で壁部１２Ａにねじ止めすることで、図３及び図４に示すように筐体１２の壁部１２Ａにインレット２０を固定し、さらに筐体１２の壁部１２Ａ以外の部分を支持板１４に取り付けることで、電源装置１０の組み立てが完了する。従って、このインレット２０は、仕切板２８に頼ることなく筐体１２に固定されることになる。
【００３４】
次に、本実施の形態に係る電源装置１０の作用を説明する。
本実施の形態に係る電源装置１０は、外枠となる筐体１２に取付穴１８が形成されており、ケーブル２４Ａで相互に結ばれた状態のインレット２０及びブレーカー２２が、この取付穴１８に一体的に挿入された構造となっている。
【００３５】
この際、筐体１２の取付穴１８の周辺部分に一対の凹部２６が形成され、この凹部２６に仕切板２８の両端部２８Ａがそれぞれ入り込んで、仕切板２８の両端部２８Ａが筐体１２の壁部１２Ａに固定されている。これに伴いこの仕切板２８が、これらインレット２０とブレーカー２２との間を取付穴１８内で区画しつつ、筐体１２とインレット２０及びブレーカー２２との間にこの仕切板２８が挟まれた形で、これらインレット２０及びブレーカー２２が筐体１２にそれぞれ取り付けられて固定されている。
【００３６】
つまり、筐体１２外においてケーブル２４Ａで接続しておいたインレット２０及びブレーカー２２を一つの取付穴１８に挿入することで、これらインレット２０及びブレーカー２２が、筐体１２にそれぞれ取り付けられて固定されることになる。この為、本実施の形態では、インレット２０とブレーカー２２が既にケーブル２４Ａで接続された状態でも、ケーブル２４Ａを傷をつけることなく、これらインレット２０及びブレーカー２２を筐体１２内に簡易に挿入することができる。そしてこの結果として、インレット２０及びブレーカー２２の筐体１２への取り付けが容易となって、電源装置１０の組立作業性が向上する。
【００３７】
また、本実施の形態では、一つの取付穴１８にインレット２０及びブレーカー２２が挿入されているものの、筐体１２の壁部１２Ａ及び仕切板２８によりブレーカー２２を先に筐体１２に係止し、最後に固定されるインレット２０がねじ止めされて筐体１２に取り付けられる構造となっている。
【００３８】
この為、保守作業の際には、筐体１２にねじ止めされているこのインレット２０の締結を緩めて筐体１２から取り外すことで、仕切板２８も取り外せて取付穴１８に大きな隙間ができ、ブレーカー２２をこれに続けて取り外すことができる。つまり、筐体１２の外側より、これらインレット２０及びブレーカー２２を簡単に取り外す事が可能となり、電源装置１０の保守作業性が高まることになる。
【００３９】
以上より、本実施の形態によれば、電源装置１０の組立作業性及び保守作業性を高めることができると共に、電源装置１０に関するこれらの作業コストを低減できるようになる。さらに、本実施の形態では、ケーブル２４Ａで相互に結ばれた状態の複数の電気部品が、外部より作動電流を導入するインレット２０及び、この作動電流を切断可能とするブレーカー２２であるので、種々の電気機器の作動電流の導入部分に適用可能ともなる。
【００４０】
一方、本実施の形態では、筐体１２の取付穴１８の周辺部分に一対の凹部２６が形成され、これら一対の凹部２６に板状に形成された仕切板２８の両端部２８Ａがそれぞれ入り込んで、仕切板２８の両端部２８Ａが筐体１２の壁部１２Ａに固定されている。つまり、仕切材を簡易にプレス加工等によって加工可能な板状の仕切板２８とし、この仕切板２８の両端部２８Ａを筐体１２の壁部１２Ａに固定したことで、インレット２０とブレーカー２２との間を確実に区画可能となる。従って、仕切板２８を用いたことで、電源装置１０の製造コストが一層低減されることになる。
【００４１】
さらに、上記のように取付穴１８の周辺部分の一対の凹部２６に仕切板２８の両端部２８Ａがそれぞれ入り込むので、壁部１２Ａの面と仕切板２８の面とを同一とすることができる。この為、本実施の形態では、インレット２０及びブレーカー２２のフランジ部２０Ａ、２２Ａで取付穴１８の周囲の壁部１２Ａに当接する構造となっているものの、凹部２６に仕切板２８の両端部２８Ａが入り込んで固定されるのに伴い、インレット２０及びブレーカー２２がそれぞれ傾かずに、安定且つ確実に筐体１２に取り付けられることになる。
【００４２】
次に、本発明に係る電気機器の第２の実施の形態を図６から図８に基づき説明する。尚、第１の実施の形態と同一の部材には同一の符号を付して、重複した説明を省略する。
図６及び図７に示すように、本実施の形態も第１の実施の形態とほぼ同様の構造となっている。但し、本実施の形態では、それぞれ一段窪んだ形に形成された一対の凹部２６が、ねじ孔３４を含んだ形に大きく形成されており、また、図８に示すように仕切板２８の両端部２８Ａが、これら凹部２６の形状に合わせてそれぞれ大きく形成されていて、仕切板２８がＵ字形状になっている。そして、このねじ孔３４に対応する仕切板２８の両端部２８Ａの部分には、それぞれ貫通穴４２が設けられている。
【００４３】
従って、本実施の形態では、一対の止めネジ３６が、インレット２０の貫通穴３２及び仕切板２８の貫通穴４２を連続して貫通して、壁部１２Ａのねじ孔３４にそれぞれねじ止めされることで、インレット２０及び仕切板２８が筐体１２の壁部１２Ａに取り付けられる構造になっている。この結果として、本実施の形態によれば、保守作業の際に、止めネジ３６を緩めるだけでインレット２０及び仕切板２８が一体的に筐体１２から外れ、より一層容易に全ての電気部品を取り外すことが可能となる。
【００４４】
尚、上記実施の形態では、電気部品を２つとしたが、電気部品は３つ以上の複数であっても良く、これに合わせて仕切材の数を増やしても良い。また、上記実施の形態では、仕切材を板状の仕切板としたが、複数の電気部品間を区画できれば、仕切材は棒状等の他の形状であっても良い。他方、上記実施の形態は、電源装置を例として説明したが、コンピュータやその他の電気機器に本発明を採用しても良い。
【００４５】
【発明の効果】
本発明によれば、電気機器の組立作業性及び保守作業性を高めると共に、電気機器の製造コストを低減することが可能となる。
【図面の簡単な説明】
【図１】本発明の第１の実施の形態に係る電源装置の分解斜視図である。
【図２】本発明の第１の実施の形態に係る電源装置の別の方向から見た分解斜視図である。
【図３】本発明の第１の実施の形態に係る電源装置のインレット及びブレーカーが取り付けられた部分を示す拡大側面図である。
【図４】本発明の第１の実施の形態に係る電源装置の図３の部分に対応する断面図である。
【図５】本発明の第１の実施の形態に係る電源装置に適用される仕切板の拡大平面図である。
【図６】本発明の第２の実施の形態に係る電源装置の分解斜視図である。
【図７】本発明の第２の実施の形態に係る電源装置の別の方向から見た分解斜視図である。
【図８】本発明の第２の実施の形態に係る電源装置に適用される仕切板の拡大平面図である。
【図９】従来例に係る電源装置の分解斜視図である。
【図１０】従来例に係る電源装置の別の方向から見た分解斜視図である。
【符号の説明】
１０            電源装置
１２            筐体
１２Ａ          壁部
１８            取付穴
２０            インレット（電気部品）
２２            ブレーカー（電気部品）
２４Ａ          ケーブル
２６            凹部
２８            仕切板（仕切材）
２８Ａ          両端部
３２            貫通穴
３６            止めネジ
４２            貫通穴
【図１】
2004228512.tif 000003
【図２】
2004228512.tif 000004
【図３】
2004228512.tif 000005
【図４】
2004228512.tif 000006
【図５】
2004228512.tif 000007
【図６】
2004228512.tif 000008
【図７】
2004228512.tif 000009
【図８】
2004228512.tif 000010
【図９】
2004228512.tif 000011
【図１０】
2004228512.tif 000012